(57)【要約】【課題】  車両用灯具を、視認性と意匠性を高めて点灯させる。【解決手段】車両用灯具であって、光源と、透光性カバー２２とを備え、透光性カバー２２は、光源が発光する光を透光性カバー内部に入射させるように、光源と対向する位置に形成される光入部１０６と、湾曲して形成された板状の導光部１０８であって、光入部１０６に入射した光を、湾曲する表面に沿った導光方向へ導く導光部１０８と、導光部１０８により導かれる光を車両用灯具の外側へ拡散させるために導光部１０８における光源側の面の全面に渡って形成された、導光方向に延伸する、突起状又は溝状の複数の光拡散部１１０とを有する。【選択図】図５
2006202689.tif 000002
【特許請求の範囲】
【請求項１】
車両用灯具であって、
光源と、
前記光源を覆う透光性カバーであって、透光性素材で湾曲して形成された透光性カバーと
を備え、
前記透光性カバーは、
前記光源が発光する光を前記透光性カバー内部に入射させるように、前記光源と対向する位置に形成される光入部と、
湾曲して形成された板状の導光部であって、前記光入部に入射した光を、湾曲する表面に沿った導光方向へ導く導光部と、
前記導光部により導かれる光を前記車両用灯具の外側へ拡散させるために前記導光部における前記光源側の面の全面に渡って形成された、前記導光方向に延伸する、突起状又は溝状の複数の光拡散部と
を有することを特徴とする車両用灯具。
【請求項２】
前記車両用灯具は、車両のドアミラーに設けられるターンランプであり、
前記光源は、有色光を発光する光源であり、前記ターンランプの灯室内において、前記車両の車幅方向外側寄りに設けられ、
前記導光部は、前記ドアミラーのミラーボデーの車両前方側形状に従って湾曲しており、前記光源が発光する光を、前記車両の側方から前方に導くことを特徴とする請求項１に記載の車両用灯具。
【請求項３】
前記導光部の厚さは、前記光入部から離れるに従って漸減することを特徴とする請求項１又は２に記載の車両用灯具。
【請求項４】
前記透光性カバーは、前記導光方向において前記光入部からの距離がそれぞれ異なる複数の前記光拡散部を有しており、
前記光入部から遠い前記光拡散部は、前記光入部に近い前記光拡散部よりも、前記導光方向への長さが短いことを特徴とする請求項１から３のいずれかに記載の車両用灯具。
【請求項５】
それぞれの前記光拡散部は、前記光入部から離れるに従って高さが漸増する突起状であることを特徴とする請求項１から４のいずれかに記載の車両用灯具。
【請求項６】
それぞれの前記光拡散部は、前記光入部から離れるに従って深さが漸増する溝状であることを特徴とする請求項１から４のいずれかに記載の車両用灯具。
【請求項７】
それぞれの前記光拡散部は、前記光入部から離れるに従って高さが漸減する突起状であることを特徴とする請求項１から４のいずれかに記載の車両用灯具。
【請求項８】
それぞれの前記光拡散部は、前記光入部から離れるに従って深さが漸減する溝状であることを特徴とする請求項１から４のいずれかに記載の車両用灯具。
【請求項９】
前記透光性カバーは、前記導光方向と垂直な方向に並ぶ複数の前記光拡散部の列を、複数列有し、
それぞれの列における各前記光拡散部は、隣の列における各前記光拡散部に対し、前記導光方向に揃った位置に形成されることを特徴とする請求項１から８のいずれかに記載の車両用灯具。
【請求項１０】
前記透光性カバーは、前記導光方向と垂直な方向に並ぶ複数の前記光拡散部の列を、複数列有し、
それぞれの列における各前記光拡散部は、隣の列における各前記光拡散部に対し、前記導光方向に千鳥配置となる位置に形成されることを特徴とする請求項１から８のいずれかに記載の車両用灯具。
【請求項１１】
前記光入部は、前記導光部を挟んで前記導光部における前記車両用灯具の外側の面となす角度が鋭角となるように、前記導光部の端部に形成された斜面であり、
前記車両用灯具は、
前記光入部の斜面とともにＶ字形の溝を形成するように前記光入部と対向して設けられた斜面により、前記光源が発光する光の少なくとも一部を前記光入部に向かって反射する反射部を更に備え、
前記導光部、前記光入部、及び前記反射部は、前記透光性素材で一体に形成されていることを特徴とする請求項１から１０のいずれかに記載の車両用灯具。
【請求項１２】
ターンランプ付きドアミラーであって、
鏡面と、
前記鏡面を車両の前方から覆うミラーボデーと、
前記ミラーボデーの一部に設けられたターンランプと
を備え、
前記ターンランプは、
有色光を発光する光源であって、灯室内において、前記車両の車幅方向外側寄りに設けられた光源と、
前記光源を覆う透光性カバーであって、前記ミラーボデーの車両前方側形状に従って湾曲するように、透光性素材で形成された透光性カバーと
を有し、
前記透光性カバーは、
前記光源が発光する光を前記透光性カバー内部に入射させるように、前記光源と対向する位置に形成される光入部と、
湾曲して形成された板状の導光部であって、前記光入部に入射した光を、湾曲する表面に沿った導光方向へ導く導光部と、
前記導光部により導かれる光を前記ターンランプの外側へ拡散させるために前記導光部における前記光源側の面の全面に渡って形成された、前記導光方向に延伸する、突起状又は溝状の複数の光拡散部と
を含むことを特徴とするターンランプ付きドアミラー。
【発明の詳細な説明】
【技術分野】
【０００１】
本発明は、車両用灯具及びターンランプ付きドアミラーに関する。
【背景技術】
【０００２】
従来、ドアミラーのミラーボデーの一部にターンランプを設けたターンランプ付きのドアミラーが知られている。また、ランプの点滅又は点灯を比較的広範な車両周囲から認識させるために、ＬＥＤに対向する膨出部をランプカバーの内面に形成した構成が知られている（例えば、特許文献１参照。）。この構成において、ＬＥＤから発せられた光は、ランプカバーのコーナー部を透過して、車両の前側方に発せられる。また、ランプカバーのコーナー部の内面は、凹凸状に形成されている。
【特許文献１】特開２００４−１７１０号公報
【発明の開示】
【発明が解決しようとする課題】
【０００３】
しかし、車両の部品には、実用性と共に、高い意匠性が求められる。そのため、ターンランプ付きのドアミラーにおいても、高い意匠性を有しながら、十分な機能を発揮することが求められる。
【０００４】
また、例えば、ターンランプでは、意匠性を高める観点等から、透光性カバー（ランプカバー）の広い範囲から光を出射させることが望まれる場合がある。これを実現するためには、例えば、ターンランプの灯室内に多数の光源を設けることが考えられる。しかし、この場合、部品点数の増加により、コストが上昇してしまうこととなる。例えば、光源を設置するための基板や配線がより多く必要となり、部品費、組み付け費等が増大してしまう。
【０００５】
しかし、コストを低減するために、単に光源の数を減らしてしまうと、透光性カバーの一部からしか光が出射しないこととなり、点灯時の意匠性が低下してしまう。例えば、透光性カバーの一端付近にのみ光源を設けた場合、その付近のみからしか光が出射しないため、透光性カバーの他端付近は全く光らないこととなる。
【０００６】
また、例えば光源が有色光を発光する場合、出射光の強度分布は、意匠性に大きな影響を与える。そのため、例えば透光性カバーにおいて光源の近くの部分からしか光が出射されないとすれば、ターンランプの意匠性が低下してしまうおそれがある。
【０００７】
そこで、本発明は、上記の問題点を解決できる車両用灯具及びターンランプ付きドアミラーを提供することを目的とする。
【課題を解決するための手段】
【０００８】
上記の問題点を解決するために、本発明は、以下の構成を有する。
（構成１）車両用灯具であって、光源と、光源を覆う透光性カバーであって、透光性素材で湾曲して形成された透光性カバーとを備え、透光性カバーは、光源が発光する光を透光性カバー内部に入射させるように、光源と対向する位置に形成される光入部と、湾曲して形成された板状の導光部であって、光入部に入射した光を、湾曲する表面に沿った導光方向へ導く導光部と、導光部により導かれる光を車両用灯具の外側へ拡散させるために導光部における光源側の面の全面に渡って形成された、導光方向に延伸する、突起状又は溝状の複数の光拡散部とを有する。透光性カバーは、例えば透明樹脂等の透光性素材により、一つの部品として一体に形成されている。光入部、導光部、及び光拡散部は、それぞれ透光性カバーの一部である。また、この車両用灯具は、例えば、ターンランプ等の表示灯である。
【０００９】
このように構成すれば、導光部により、光源が発光する光を光源から離れた位置に導くことができる。また、導かれた光を、導光部に設けられた光拡散部により拡散させることができる。そのため、このように構成すれば、車両用灯具の外側への光を、透光性カバーの広い範囲から出射させることができる。これにより、意匠性が高く、かつ視認性のよい車両用灯具を提供できる。また、透光性カバーの一部を導光部として用いているため、コストが上昇することもない。
また、このように構成した場合、光源を、灯室内の一箇所にまとめて設けることができる。光源を一箇所にまとめて設けた場合、基板、配線、組み付け、ハーネス等を省くことができるため、コストを低減できる。
また、上記の形状の光拡散部を導光部における光源側の面の全面に渡って形成することにより、透光性カバーの広い範囲から、例えば光拡散部を形成しない場合と比べて高い均一度で光を出射させることができる。そのため、このように構成すれば、車両用灯具を、視認性と意匠性を高めて点灯させることができる。
【００１０】
ここで、導光部に導かれる光を車両用灯具の外側へ拡散させるためには、導光部に、上記の形状の光拡散部に代えて、例えば段差状の凹凸を設けることも考えられる。しかし、このような凹凸を設けた場合、段差部分以外の平坦部からは、ほとんど光が出射しない。また、例えば、段差部分での輝度が高くなりすぎ、必要以上に眩しい部分が生じてしまうおそれもある。
また、光を出射する段差部分を増やすために、段差の間隔を狭くすると、光源近くの段差のみでほとんど全ての光を拡散してしまい、導光の機能が十分に果たせなくなる。更には、段差部分以外の平坦部から内部が見えてしまうため、車両用灯具の視認性と意匠性が低下するおそれがある。
また、導光部を用いない構成の車両用灯具において、透光性カバーを透過する光を拡散させるために、透光性カバーの表面に、例えば球面、ダイヤ、円錐等のアレイを形成する場合がある。これと同様にして、導光部を用いる場合にも、上記の形状の光拡散部に代えて、例えば球面、ダイヤ、円錐等の形状の光拡散部のアレイを設けることも考えられる。
【００１１】
しかし、導光部を用いる場合、光源から遠い光拡散部は、導光部を透過してきた光を拡散することになる。この場合、導光部の各位置において、導光させる光の割合と拡散させる光の割合を考慮する必要があり、導光部の導光方向と、幅方向とで必要な光拡散部の密度が異なることとなる。
そのため、球面、ダイヤ、円錐等のような、導光部の導光方向の長さと、幅（導光部の幅方向の長さ）とがほぼ等しい光拡散部を用いた場合、例えば導光部の幅方向で必要な密度に合わせて光拡散部の大きさを決めると、光拡散部の大きさが小さくなり、導光方向での光拡散部の密度が過剰になってしまう。この場合、導光部に入射した光は、光源の近くのみで全て拡散してしまう。
また、導光方向で必要な光拡散部の密度に合わせて光拡散部の大きさを決めると、導光部の幅方向では、光拡散部の密度が不足する。これに対し、構成１のように構成した場合、光拡散部は、導光方向に線状に延伸して形成されており、導光方向の長さが幅と比べて大きいため、光拡散部の密度を、導光部の導光方向及び幅方向でそれぞれ適切にすることができる。そのため、車両用灯具を、視認性と意匠性を高めて点灯させることができる。
【００１２】
光拡散部は、導光部上に、例えば１００〜１００００個設けられる。また、光拡散部は、例えば、かまぼこ型の突起状又は溝状に形成される。かまぼこ型の突起とは、例えば、円柱又は楕円柱の側面の一部を導光部の中に埋め込んで形成される突起である。また、かまぼこ型の溝とは、例えば、円柱又は楕円柱の側面の一部に相当する部分を導光部からくり抜いて形成される溝である。これらの円柱の直径又は楕円柱の長径は、例えば０．５〜３ｍｍとするのが好ましい。また、光拡散部は、導光部の内面に対して軸方向が傾斜するように形成されるのが好ましい。光拡散部の軸方向と導光部の外面とがなす角度は、５〜４５°とするのが好ましい。尚、導光部の内面とは、光源と対向する面である。導光部の外面とは、車両用灯具の外側の面である。
【００１３】
尚、車両用灯具は、光源として、例えば複数のＬＥＤを備えてよい。また、導光部の内面と対向して設けられた反射鏡を更に備えてもよい。この反射鏡の反射率は、例えば５０〜９０％とするのが好ましい。この反射鏡は、例えば、金属メッキ又は蒸着等により、透光性カバーの内面に形成される。また、この反射鏡は、透光性カバーと別体に形成されてもよい。この場合、反射鏡は、例えば、金属又は樹脂等で形成され、透光性カバーの内面と接するように設けられる。尚、透光性カバーの内面とは、光源と対向する面である。
【００１４】
（構成２）車両用灯具は、車両のドアミラーに設けられるターンランプであり、光源は、有色光を発光する光源であり、ターンランプの灯室内において、車両の車幅方向外側寄りに設けられ、導光部は、ドアミラーのミラーボデーの車両前方側形状に従って湾曲しており、光源が発光する光を、車両の側方から前方に導く。光源は、アンバー色の光を発光するＬＥＤであってよい。
このように構成すれば、光源を一箇所まとめて設けた場合であっても、出射光の強度分布の均一度を高めることができる。そのため、高い意匠性のターンランプを、低コストで具現できる。
【００１５】
（構成３）導光部の厚さは、光入部から離れるに従って漸減する。
導光部は、例えば、透光性素材で形成された湾曲板における対向する二面の間で光を順次反射させることにより、光を導く。そのため、この反射の頻度は、導光部を厚くするほど減少する。そして、反射の頻度が減少すると、光が光拡散部に入射する頻度も減少する。
そのため、構成３のように構成した場合、導光部において、光入部の近くでは、導光部が厚いため、拡散されずに進行する光の割合が多くなる。また、導光部内を進行する光が減少している光入部から離れた位置では、導光部が薄いため、拡散される光の割合が多くなる。そのため、構成３のように構成すれば、導光部の広い範囲から、高い均一度で光を出射させることができる。また、これにより、車両用灯具を、視認性と意匠性を高めて点灯させることができる。
光入部付近での導光部の厚みをＬｉｎ、光入部から最も離れた先端での厚みをＬｏｕｔとした場合、例えば、５ｍｍ≦Ｌｉｎ≦１０ｍｍ、１ｍｍ≦Ｌｏｕｔ≦３ｍｍとするのが好ましい。
【００１６】
（構成４）透光性カバーは、導光方向において光入部からの距離がそれぞれ異なる複数の光拡散部を有しており、光入部から遠い光拡散部は、光入部に近い光拡散部よりも、導光方向への長さが短い。
このように構成すれば、光入部から離れた位置において、導光部の導光方向における光拡散部の密度を高めることができる。そのため、導光部の広い範囲から、高い均一度で光を出射させることができる。
【００１７】
（構成５）それぞれの光拡散部は、光入部から離れるに従って高さが漸増する突起状である。
（構成６）それぞれの光拡散部は、光入部から離れるに従って深さが漸増する溝状である。
構成５又は構成６のように構成した場合、それぞれの光拡散部において、光入部から遠い方の端部は、導光部における光源側の面に対して切り立った面になる。また、この端部の面は、それぞれの光拡散部において、導光部に導かれる光の進行方向の前方にあるため、光が入射しやすい。そのため、構成５又は構成６のように構成すれば、導光部により導かれる光を、効率よく拡散できる。
尚、それぞれの光拡散部は、例えば、光入部から離れるに従って幅が漸増するように形成される。また、光拡散部における光入部から遠い方の端部の面は、例えば、凸曲面状に形成される。これらのように構成すれば、導光部により導かれる光を、更に効率よく拡散できる。
【００１８】
（構成７）それぞれの光拡散部は、光入部から離れるに従って高さが漸減する突起状である。
（構成８）それぞれの光拡散部は、光入部から離れるに従って深さが漸減する溝状である。
構成７又は構成８のように構成した場合、それぞれの光拡散部において、光入部に近い方の端部は、導光部における光源側の面に対して切り立った面になる。しかし、この端部の面は、それぞれの光拡散部において、導光部に導かれる光の進行方向の後方にあるため、光が入射しにくい。そのため、それぞれの光拡散部は、例えば、端部の切り立った面では多くの光を拡散せずに、導光部の内面に対してより緩く傾斜している斜面により、光を拡散する。そのため、構成５又は構成６のように構成すれば、出射光の強度の均一度を、更に高めることができる。
【００１９】
尚、構成５及び構成７において、突起状の光拡散部の高さとは、導光部の内面からの高さである。この光拡散部は、導光部の内面に対して軸方向が傾斜したかまぼこ型の突起状であってよい。
また、構成６及び構成８において、溝状の光拡散部の深さとは、導光部の内面からの深さである。この光拡散部は、導光部の内面に対して軸方向が傾斜したかまぼこ型の溝状であってよい。
【００２０】
（構成９）透光性カバーは、導光方向と垂直な方向（導光部の幅方向）に並ぶ複数の光拡散部の列を、複数列有し、それぞれの列における各光拡散部は、隣の列における各光拡散部に対し、導光方向に揃った位置に形成される。
（構成１０）透光性カバーは、導光方向と垂直な方向（導光部の幅方向）に並ぶ複数の光拡散部の列を、複数列有し、それぞれの列における各光拡散部は、隣の列における各光拡散部に対し、導光方向に千鳥配置となる位置に形成される。
構成９又は構成１０のように構成した場合、導光方向と垂直な方向に並ぶ光拡散部の列の繰り返しにより、出射光の強弱を、導光方向に沿って周期的に変化させることができる。そのため、構成９又は構成１０のように構成すれば、高い意匠性の車両用灯具を具現できる。また、この車両用灯具が例えばターンランプ等である場合、例えば強度が平坦な光を出射する場合と比べ、周囲の注意を喚起しやすくなる。また、例えば導光部に単に段差状の凹凸を設ける場合と異なり、導光部のほぼ全体からも一定の強度以上の光を出射させることができる。
尚、複数の光拡散部は、導光部における光源側の面にランダム配置されてもよい。このように構成した場合も、導光部全体から、高い均一度で光を出射させることができる。
【００２１】
（構成１１）光入部は、導光部を挟んで導光部における車両用灯具の外側の面となす角度が鋭角となるように、導光部の端部に形成された斜面であり、車両用灯具は、光入部の斜面とともにＶ字形の溝を形成するように光入部と対向して設けられた斜面により、光源が発光する光の少なくとも一部を光入部に向かって反射する反射部を更に備え、導光部、光入部、及び反射部は、透光性素材で一体に形成されている。
このように構成すれば、コストを上昇させることなく、光入部への光の入射効率を高めることができる。導光部の外側の面に対して光入部がなす角度は、４５〜９０°とするのが好ましい。尚、Ｖ字形の溝とは、例えば、深さ方向に向かって幅が漸減するように、平面状の壁面により構成された溝である。
【００２２】
（構成１２）ターンランプ付きドアミラーであって、鏡面と、鏡面を車両の前方から覆うミラーボデーと、ミラーボデーの一部に設けられたターンランプとを備え、ターンランプは、有色光を発光するＬＥＤであって、灯室内において、車両の車幅方向外側寄りに設けられたＬＥＤと、ＬＥＤを覆う透光性カバーであって、ミラーボデーの車両前方側形状に従って湾曲するように、透光性素材で形成された透光性カバーとを有し、透光性カバーは、光源が発光する光を透光性カバー内部に入射させるように、光源と対向する位置に形成される光入部と、湾曲して形成された板状の導光部であって、光入部に入射した光を、湾曲する表面に沿った導光方向へ導く導光部と、導光部により導かれる光をターンランプの外側へ拡散させるために導光部における光源側の面の全面に渡って形成された、導光方向に延伸する、突起状又は溝状の複数の光拡散部とを含む。このように構成すれば、構成１、構成２等と同様の効果を得ることができる。
【発明の効果】
【００２３】
本発明によれば、車両用灯具を、視認性と意匠性を高めて点灯させることができる。
【発明を実施するための最良の形態】
【００２４】
以下、本発明に係る実施形態を、図面を参照しながら説明する。
図１は、本発明の一実施形態に係るターンランプ付きドアミラー１０の構成の一例を示す。ターンランプ付きドアミラー１０は、ミラーボデー１２、ターンランプ１４、及び鏡面１６を備える。
【００２５】
ミラーボデー１２は、樹脂等により形成された筐体であり、鏡面１６を車両の前方から覆う。ターンランプ１４は、車両用灯具の一例であり、ミラーボデー１２の一部に設けられる。本例において、ターンランプ１４は、車幅方向外側から車両の前方に向かって、ミラーボデー１２の車両前方側形状に従って湾曲している。鏡面１６は、車両の後方を向いた状態でミラーボデー１２に収容されている。
【００２６】
図２は、ターンランプ１４の構成の一例を示す。本例において、ターンランプ１４は、ランプボデー２８、複数の光源２４ａ、２４ｂ、光源保持部材３０、透光性カバー２２、及び反射鏡２６を有する。
【００２７】
ランプボデー２８は、ターンランプ１４の筐体であり、透光性カバー２２との間の空間であるターンランプ１４の灯室内に、光源２４ａ、２４ｂ、反射鏡２６、及び光源保持部材３０を収容する。光源２４ａ、２４ｂは、ターンランプ用の有色光を発光するＬＥＤであり、ターンランプ１４の灯室内において、車両の車幅方向外側寄りの一箇所にまとめて設けられている。本例において、光源２４ａ、２４ｂは、波長５８３ｎｍ程度（例えば５８１〜５８５ｎｍ）のアンバー色の光を発光する。光源保持部材３０は、光源２４ａ、２４ｂを保持するための部材であり、ターンランプ１４の外部から電力を受け取るための配線３２と、光源２４ａ、２４ｂとを接続している。
【００２８】
尚、光源２４ａ、２４ｂは、本発明で特に限定されるものではなく、着色バルブやＬＥＤ等、従来公知の各種ランプの中から、必要に応じて適宜選択することができる。本発明にあっては、光の指向性の点で光源２４ａ、２４ｂにＬＥＤを適用するのが好ましく、例えばアンバー色の光を発光するＬＥＤ（Ａｇｉｌｅｎｔ社製  ＨＳＭＵ−Ａ１００）やオレンジ色の光を発光するＬＥＤ（同社製  ＨＳＭＶ−Ａ１００）を用いることができる。
【００２９】
透光性カバー２２は、光源２４ａ、２４ｂを覆うランプカバーであり、空気よりも屈折率が大きな透光性素材で形成されている。本例において、透光性カバー２２は、ミラーボデー１２（図１参照）の車両前方側形状に従って湾曲するように形成されている。また、透光性カバー２２は、光源２４ａ、２４ｂが発光する光を導く導光機能、及び導いた光をターンランプ１４の外部に拡散する拡散機能を有している。そのため、本例によれば、透光性カバーの広い範囲から光を出射させることができる。
【００３０】
透光性カバー２２は、例えばアクリルで形成される。この場合、透光性カバー２２は、光源２４ａ、２４ｂが発光する光に対して、１．４９程度（例えば１．４７〜１．５１）の屈折率を有する。透光性カバー２２は、例えばポリカーボネートで形成されてもよい。この場合、透光性カバー２２は、光源２４ａ、２４ｂが発光する光に対して、１．５８程度（例えば１．５６〜１．５０）の屈折率を有する。
【００３１】
反射鏡２６は、金属又は樹脂等で形成されており、ランプボデー２８上に固定されて、透光性カバー２２の内面と接するように設けられている。反射鏡２６の反射率は、例えば５０〜９０％程度である。
【００３２】
このように構成すれば、例えば一部の光がターンランプ１４の内側に拡散された場合も、その光を、ターンランプ１４の外側に出射させることができる。そのため、光源２４ａ、２４ｂが発光する光を、ターンランプ１４の外へ、効率よく出射させることができる。
【００３３】
尚、ターンランプ１４は、透光性カバー２２と別体に形成される反射鏡２６に代えて、例えば透光性カバー２２の内面に金属メッキ又は蒸着等により形成された反射鏡を有してもよい。このように構成した場合も、光源２４ａ、２４ｂが発光する光を、ターンランプ１４の外へ、効率よく出射させることができる。
【００３４】
図３、図４、図５、及び図６は、透光性カバー２２の詳細な構成を示す図である。図３及び図４は、それぞれ異なる角度から見た透光性カバー２２の斜視図である。図５は、透光性カバー２２の断面図であり、透光性カバー２２により光が導かれる導光方向と平行な断面を示す。図６は、透光性カバー２２の一部である反射部１０４及び光入部１０６近傍の拡大斜視図である。
【００３５】
本例において、透光性カバー２２は、窓部１０２、光入部１０６、反射部１０４、及び導光部１０８を有する。窓部１０２、光入部１０６、反射部１０４、及び導光部１０８は、透光性素材で一体に形成されている。また、導光部１０８における光源２４ａ、２４ｂ側の面には、例えば１００〜１００００個程度の多数の光拡散部１１０が形成されている。
【００３６】
窓部１０２は、光源２４ａ（図２参照）に対向する部分であり、光源２４ａが発光する光を透過して、ターンランプ１４（図２参照）の外部に出射する。本例において、窓部１０２は、ターンランプ１４がミラーボデー１２（図１参照）に取り付けられた場合に車幅方向外側を向く位置に形成されている。また、ターンランプ１４の外部から光源２４ａ、２４ｂが直接見えてしまうのを防ぐために、窓部１０２の内面には、透光性カバー２２の長手方向に延伸するシリンドリカルレンズの列が形成されている。窓部１０２の内面とは、光源２４ａ、２４ｂと対向する面である。
【００３７】
光入部１０６は、光源２４ｂが発光する光を透光性カバー２２内部に入射させるための斜面であり、光源２４ｂと対向する位置に形成される。反射部１０４は、光入部１０６と対向して設けられた斜面であり、図５及び図６に示すように、光入部１０６の斜面とともにＶ字形の溝を形成している。これにより、反射部１０４は、光源２４ｂが発光する光を、光入部１０６に向かって反射する。このように構成すれば、光源２４ｂが発光する光を、効率よく透光性カバー２２内に入射させることができる。
【００３８】
導光部１０８は、光入部１０６から延伸して形成された板状部分であり、ミラーボデー１２の車両前方側形状に従って湾曲している。また、導光部１０８は、図６に示すように、反射部１０４及び光入部１０６から連続した形状に形成されている。この構成により、導光部１０８は、光入部１０６に入射した光を、外面と内面との間で順次全反射させて、湾曲する表面に沿った導光方向へ導く。また、これにより、導光部１０８は、光源２４ｂが発光する光を、車両の側方から前方に導く。
【００３９】
また、本例において、導光部１０８は、光入部１０６から離れるに従って厚さが漸減するように形成されている。光入部１０６付近での導光部１０８の厚みをＬｉｎ、先端での厚みをＬｏｕｔとした場合、例えば、５ｍｍ≦Ｌｉｎ≦１０ｍｍ、１ｍｍ≦Ｌｏｕｔ≦３ｍｍである。
【００４０】
光拡散部１１０は、導光部１０８の内面の全面に渡って鱗状に形成された突起状部であり、導光部１０８の導光方向に延伸する線状に形成されている。これにより、光拡散部１１０は、導光部１０８により導かれる光を、ターンランプ１４の外側へ拡散させる。尚、導光部１０８の内面とは、光源２４ａ、２４ｂと対向する面である。
【００４１】
また、透光性カバー２２は、導光方向において光入部１０６からの距離がそれぞれ異なる複数の位置に、導光部１０８の幅方向に複数の光拡散部１１０が並ぶ光拡散部１１０の列をそれぞれ有する。また、光入部１０６から遠い列における光拡散部１１０は、光入部１０６に近い列の光拡散部１１０よりも、導光方向への長さが短く形成されている。このように構成すれば、導光部１０８の広い範囲から、高い均一度で光を出射させることができる。
【００４２】
以上のように、本例によれば、一箇所にまとめて設けられた光源２４ｂが発光する光を、導光部１０８の全体から出射させることができる。また、これにより、ターンランプ１４を視認性と意匠性を高めて点灯させることができる。そのため、本例によれば、モジュール全体が発光する意匠性の高いターンランプ１４を、低コストで具現できる。
【００４３】
また、本例において、透光性カバー２２は、導光部１０８からの拡散光の他に、光源２４ｂに隣接して設けられた光源２４ａが発光する光を窓部１０２から出射している。そのため、例えば法規等で定められた必要性に応じて、導光部１０８からの拡散光よりも強い光を出射することができる。
【００４４】
図７は、光入部１０６、導光部１０８、及び光拡散部１１０の機能を説明する図である。本例において、導光部１０８の外面は、光入部１０６と鋭角をなしている。導光部１０８の外面と光入部１０６とがなす角度は、例えば４５〜９０°である。このように構成すれば、光源２４ｂが発光する光のうち、透光性カバー２２を直接透過する割合を少なくし、導光部１０８へ光を屈折させることができる。また、これにより、導光部１０８の内部に効率よく光を入射させることができる。
【００４５】
また、導光部１０８は、空気よりも空気よりも屈折率が大きな透光性素材で形成されているため、光入部１０６から入射した光を、外面と内面との間の全反射を繰り返して、光入部１０６から最も離れた先端まで導く。光拡散部１１０は、導光部１０８の内面で反射される光の一部の方向を変化させることにより、この光を、全反射されない入射角度で導光部１０８の外面に入射させる。これにより、導光部１０８により導かれる光の一部を、ターンランプ１４の外側に拡散させる。そのため、本例によれば、光源２４ｂが発光する光を、導光部１０８の全体から出射させることができる。
【００４６】
尚、導光部１０８の外面と光入部１０６とがなす角度とは、導光部１０８の外面の接線方向と光入部１０６の斜面とがなす角度である。導光部１０８の外面とは、ターンランプ１４の外側の面である。
【００４７】
図８は、光拡散部１１０の形状の一例を示す。図８（ａ）は、光拡散部１１０の上面図及び正面図である。光拡散部１１０の上面図は、導光部１０８の内面に向かって見た光拡散部１１０を示す。光拡散部１１０の正面図は、導光部１０８の先端から光入部１０６（図３参照）に向かう方向に見た光拡散部１１０を示す。図８（ｂ）は、光拡散部１１０の断面図である。
【００４８】
本例において、光拡散部１１０は、導光部１０８の内面に対して軸方向が傾斜したかまぼこ型の突起状に形成されている。光拡散部１１０の上面形状は、光入部１０６に近い側が尖った砲弾型である。また、光拡散部１１０の幅は、光入部１０６から離れるに従って漸増する。光拡散部１１０における光入部１０６から遠い方の端部の面は、凸曲面状に形成されている。これらのように構成すれば、導光部１０８により導かれる光を、効率よく拡散できる。
【００４９】
尚、光拡散部１１０の上面形状とは、透光性カバー２２の内面と垂直な方向へ光拡散部１１０を投影した形状である。また、かまぼこ型の突起とは、円柱又は楕円柱等の側面の一部を導光部１０８の中に埋め込んで形成される突起である。これらの円柱の直径又は楕円柱の長径は、例えば０．５〜３ｍｍである。また、光拡散部１１０の軸方向と導光部１０８の内面とがなす角度は、５〜４５°とするのが好ましい。尚、光拡散部１１０の軸方向とは、例えば、この円柱又は楕円柱等の軸方向である。
【００５０】
図９は、光拡散部１１０の配置の一例を示す。図９（ａ）は、本例における光拡散部１１０の配置を示す。本例において、砲弾型の光拡散部１１０の先端は、光入部１０６の方向を向いている。そのため、光拡散部１１０は、光入部１０６から離れるに従って高さが漸増する向きに形成される。
【００５１】
このように構成した場合、導光部１０８に導かれる光の少なくとも一部は、導光部１０８の外面に入射する場合よりも浅い角度で、光拡散部１１０と空気との界面に入射する。そのため、このように構成すれば、光拡散部１１０が存在しなければ導光部１０８から透過する光を、光拡散部１１０内に反射により戻すことができる。また、光拡散部１１０と空気との界面への入射角度が浅くなるため、光拡散部１１０は、光拡散部１１０が存在しなければ導光部１０８から透過してしまう光の一部の向きを、導光部１０８の外面で全反射される方向に変更して反射する。そのため、本例によれば、光源２４ｂが発光する光を効果的に活用できる。
【００５２】
また、導光部１０８の幅方向への光拡散部１１０の列において、それぞれの列における各光拡散部１１０は、隣の列における各光拡散部１１０と、導光方向に揃った位置に形成される。このように構成すれば、高い意匠性のターンランプ１４を具現できる。
【００５３】
図９（ｂ）は、光拡散部１１０の配置の変形例を示す。本例において、光拡散部１１０は、光入部１０６から離れるに従って高さが漸減する向きに形成される。この場合、砲弾型の光拡散部１１０の先端は、光入部１０６から離れる方向を向く。このように構成した場合も、導光部１０８に導かれる光を適切に拡散できる。尚、それぞれの導光部１０８は、例えば図９（ａ）に示した場合と同様の位置に形成される。
【００５４】
図１０は、光拡散部１１０の形状の変形例を示す。図１０（ａ）は、光拡散部１１０の上面図及び正面図である。図１０（ｂ）は、光拡散部１１０の断面図である。
【００５５】
本例において、光拡散部１１０は、導光部１０８の内面に対して軸方向が傾斜したかまぼこ型の溝状に形成されている。光拡散部１１０の上面形状は、光入部１０６に近い側が尖った砲弾型である。また、光拡散部１１０の幅は、光入部１０６から離れるに従って漸増する。光拡散部１１０における光入部１０６から遠い方の端部の面は、凸曲面状に形成されている。これらのように構成すれば、導光部１０８により導かれる光を、効率よく拡散できる。
【００５６】
ここで、かまぼこ型の溝とは、円柱又は楕円柱等の側面の一部に相当する部分を導光部からくり抜いて形成される溝である。これらの円柱の直径又は楕円柱の長径は、例えば０．５〜３ｍｍである。また、光拡散部１１０の軸方向と導光部１０８の内面とがなす角度は、５〜４５°とするのが好ましい。尚、光拡散部１１０の軸方向とは、例えば、この円柱又は楕円柱等の軸方向である。
【００５７】
図１１は、図１０を用いて説明した光拡散部１１０の配置を示す。図１１（ａ）は、光拡散部１１０の配置の一例を示す。本例において、光拡散部１１０は、光入部１０６から離れるに従って深さが漸増する向きに形成される。この場合、砲弾型の光拡散部１１０の先端は、光入部１０６の方向を向く。
【００５８】
図１１（ｂ）は、光拡散部１１０の配置の変形例を示す。本例において、砲弾型の光拡散部１１０の先端は、光入部１０６から離れる方向を向いている。そのため、光拡散部１１０は、光入部１０６から離れるに従って深さが漸減する向きに形成される。これらのように構成した場合も、導光部１０８に導かれる光を適切に拡散できる。尚、それぞれの導光部１０８は、例えば図９（ａ）に示した場合と同様の位置に形成される。
【００５９】
図１２は、光拡散部１１０の配置の更なる変形例を示す。本例において、それぞれの列における各光拡散部１１０は、隣の列における各光拡散部１１０に対し、導光方向に千鳥配置となる位置に形成される。
【００６０】
図１２（ａ）は、砲弾型の光拡散部１１０の先端が光入部１０６の方向を向く場合の配置を示す。図１２（ｂ）は、砲弾型の光拡散部１１０の先端が、光入部１０６から離れる方向を向く場合の配置を示す。これらのように構成すれば、ターンランプ１４の意匠性を高めることができる。また、導光部１０８に導かれる光を適切に拡散できる。尚、光拡散部１１０は、例えば図８又は図１０に示した形状を有している。
【００６１】
以上、本発明を実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【産業上の利用可能性】
【００６２】
本発明は、例えばターンランプ付きのドアミラーに好適に利用できる。
【図面の簡単な説明】
【００６３】
【図１】本発明の一実施形態に係るターンランプ付きドアミラー１０の構成の一例を示す図である。
【図２】ターンランプ１４の構成の一例を示す図である。
【図３】透光性カバー２２の斜視図である。
【図４】透光性カバー２２の斜視図である。
【図５】透光性カバー２２の断面図である。
【図６】反射部１０４及び光入部１０６近傍の拡大斜視図である。
【図７】光入部１０６、導光部１０８、及び光拡散部１１０の機能を説明する図である。
【図８】光拡散部１１０の形状の一例を示す図である。  図８（ａ）は、光拡散部１１０の上面図及び正面図である。  図８（ｂ）は、光拡散部１１０の断面図である。
【図９】光拡散部１１０の配置の一例を示す図である。  図９（ａ）は、本例における光拡散部１１０の配置を示す。  図９（ｂ）は、光拡散部１１０の配置の変形例を示す。
【図１０】光拡散部１１０の形状の変形例を示す図である。  図１０（ａ）は、光拡散部１１０の上面図及び正面図である。  図１０（ｂ）は、光拡散部１１０の断面図である。
【図１１】図１０を用いて説明した光拡散部１１０の配置を示す図である。  図１１（ａ）は、光拡散部１１０の配置の一例を示す。  図１１（ｂ）は、光拡散部１１０の配置の変形例を示す。
【図１２】光拡散部１１０の配置の更なる変形例を示す図である。  図１２（ａ）は、砲弾型の光拡散部１１０の先端が光入部１０６の方向を向く場合の配置を示す。  図１２（ｂ）は、砲弾型の光拡散部１１０の先端が、光入部１０６から離れる方向を向く場合の配置を示す。
【符号の説明】
【００６４】
１０・・・ターンランプ付きドアミラー、１２・・・ミラーボデー、１４・・・車両用灯具（ターンランプ）、１６・・・鏡面、２２・・・透光性カバー、２４ａ、２４ｂ・・・光源、２６・・・反射鏡、２８・・・ランプボデー、３０・・・光源保持部材、３２・・・配線、１０２・・・窓部、１０４・・・反射部、１０６・・・光入部、１０８・・・導光部、１１０・・・光拡散部
【図１】
2006202689.tif 000003
【図２】
2006202689.tif 000004
【図３】
2006202689.tif 000005
【図４】
2006202689.tif 000006
【図５】
2006202689.tif 000007
【図６】
2006202689.tif 000008
【図７】
2006202689.tif 000009
【図８】
2006202689.tif 000010
【図９】
2006202689.tif 000011
【図１０】
2006202689.tif 000012
【図１１】
2006202689.tif 000013
【図１２】
2006202689.tif 000014